(57)【要約】【課題】  流動食用の注出口付きパウチであって、特にパウチ上部に設けた液体注入口を開封して希釈液や飲料水等を注入した後、容易に再封でき、衛生的に流動食等を患者等に投与できる注出口付きパウチを提供する。【解決手段】  注出口付きパウチを、上部にガセット部3 を設けた形式で形成し、下部の端縁部に注出口50を取り付け、ガセット部の上部に拡大シール部4 を設けてそこに吊り下げ用の穴9 を設けると共に、該パウチのガセット部を含む上部の左右の端縁部には、シール幅を広くした広幅シール部5a,5b を設け、ガセット部の前面側のひだ状部8aには、拡大シール部の下側近傍に液体注入口を開封するための開封手段を横方向に設け、該開封手段とガセット部3 の下端との間に折り曲げ線15を設け、その両側端部の広幅シール部5a,5b 内に、両方の外側から内側に向けて、前後のひだ状部8a,8b を貫通する切り目線11a,11b による鉤状の係止部を設けて構成する。【選択図】        図１
2006199333.tif 000002
【特許請求の範囲】
【請求項１】
流動食等を患者等に投与するために用いられる積層フィルム製の注出口付きパウチであって、該パウチの上部が、前後の壁面フィルムの上部の間に上面フィルムを内側に折り返して挿入し、その外側の端縁部をヒートシールしてなるガセット部を有する形式で形成され、胴部が、前後の壁面フィルムの左右両側の端縁部を側部シール部でヒートシールして形成され、底部が、前後の壁面フィルムの下部の端縁部を底部シール部でヒートシールして形成され、該パウチの下部の端縁部にはプラスチックの成形体よりなる注出口が取り付けられ、該パウチのガセット部の上部の端縁部は、その上端から下方に向けてシール面積を大きくした拡大シール部でヒートシールされ、また、該パウチの少なくともガセット部を含む上部の左右両側の端縁部は、シール幅を広くした広幅シール部でヒートシールされ、該拡大シール部にはパウチの吊り下げ用の穴が設けられ、該ガセット部の前後のひだ状部のうち、一方のひだ状部には、該拡大シール部の下側近傍に該拡大シール部を切り取って液体注入口を形成するための横方向の開封手段が設けられると共に、該開封手段と該ガセット部の下端の上面フィルム折り返し部との間に折り曲げ線が設けられ、更に、該折り曲げ線の両側の端部の該広幅シール部の領域内に、両方の外側から内側に向けて、前後のひだ状部を貫通する切り目線による鉤状の係止部が設けられ、該液体注入口を該開封手段で開封した後、該ひだ状部を該折り曲げ線で内側に折り込んだ時、折り込まれたひだ状部の両側上端に位置する係止部と、もう一方のひだ状部の両側の端部の該広幅シール部の領域内に設けられた係止部とが互いに係合して、開封された液体注入口を再封可能にしたことを特徴とする注出口付きパウチ。
【請求項２】
前記吊り下げ用の穴が、一部につなぎ部が設けられた切り目線による穴であることを特徴とする請求項１記載の注出口付きパウチ。
【請求項３】
前記底部シール部が、注出口の取り付け部を最下部として、その両側がパウチの両側部に向かって傾斜をもって高くなるシールパターンでヒートシールされていることを特徴とする請求項１または２に記載の注出口付きパウチ。
【発明の詳細な説明】
【技術分野】
【０００１】
本発明は、流動食や経腸栄養剤などの流動物（以下、流動食という）の投与が必要な患者等に対して使用される流動食用の注出口付きパウチに関し、更に詳しくは、パウチに充填された流動食を投与する際、パウチに取り付けられた注出口に供給チューブを連結して簡便且つ衛生的に患者等に投与することができると共に、流動食の濃度調整などが必要な場合、或いは、流動食の投与後、飲料水などをそのパウチを利用して投与する場合でも、パウチ上部に設けられた液体注入口から希釈液や飲料水などを容易に注入でき、且つ、衛生的に投与することのできる注出口付きパウチに関する。
【背景技術】
【０００２】
従来、流動食を密封包装し、流動食を患者等に投与する際には、パウチに取り付けられた注出口に供給チューブを連結して、簡便且つ衛生的に投与することができ、また、投与前に流動食の濃度調整などが必要な場合、或いは、流動食の投与後、飲料水などをそのパウチを利用して投与する場合に、パウチの上部に設けられた液体注入口から希釈液や飲料水などを注入し衛生的に患者等に投与することのできる流動食用の注出口付きパウチとしては、例えば、（１）パウチ本体を左右両側にガセット部を設けたガセットパウチ形式で形成し、パウチの下部にプラスチックの成形体によるキャップ付きなどの注出口を取り付け、パウチの上部には、一方のコーナー部に液体注入口を形成するための開封手段を設けると共に、その下側に開封した液体注入口を閉じるための横方向の折り曲げ予定線を設け、また、パウチ上部の中央部には、前記折り曲げ予定線の上下に略対称形で広がるように広幅のヒートシール部を設け、前記折り曲げ予定線でパウチを折り曲げた時、前記広幅のヒートシール部の領域内で互いに重なり合う位置にパウチの吊り下げ用と再封手段を兼ねた切り目線による穴を設けて、その重なり合った穴をスタンドのフックなどに掛ける方法で、開封した液体注入口を再封するようにした流動食用の注出口付きパウチがある（例えば、特許文献１参照）。
【０００３】
また、（２）パウチ本体を、前後２面の壁面フィルムの上部と下部の間に、それぞれ状面フィルムまたは底面フィルムを内側に折り込んで挿入し、周囲の端縁部をヒートシールしてなる上下にガセット部を有する形式で形成し、下部のガセット部の前後のひだ状部のうち、一方のひだ状部にプラスチックの成形体よりなるキャップ付きなどの注出口を取り付けると共に、上部のガセット部の前後のひだ状部のうち、一方のひだ状部は上方に延長してその延長部にパウチの吊り下げ手段を設け、もう一方のひだ状部には、液体注入口を設けるため、その上部から下方に、上部の端縁部を封止する注入口上部シール部、切り取り線、ジッパー形式のファスナーを順に設けて液体注入口を開封した後、ジッパー形式のファスナーで再封できるようにした流動食用の注出口付きパウチがある（例えば、特許文献２参照）。
【特許文献１】特開２００１−１９９４５７号公報（第２頁〜第５頁、図１〜図４）
【特許文献２】特開２００１−２１３４５１号公報（第２頁〜第４頁、図１〜図４）
【０００４】
前記（１）に記載した流動食用の注出口付きパウチによれば、パウチに充填された流動食を患者等に投与する際、注出口を開封してその口部に供給チューブを連結し、パウチ上部に設けられた吊り下げ用の穴を、例えばスタンドのフックに掛けてパウチを吊り下げることにより、スムーズに且つ衛生的に流動食を患者等に投与することができる。
また、最初に流動食の希釈など濃度調整が必要な場合、或いは、流動食の投与後、そのパウチを利用して飲料水などを患者等に投与する場合は、パウチ上部のコーナー部に設けられた開封手段により液体注入口を開封し、ガセット部の側面フィルムを外側に引き出すことにより、液体注入口が開口するので、この部分から希釈液や飲料水等を注入することができる。希釈液や飲料水等を注入した後は、パウチをスタンドのフックから取り外して前記外側に引き出した側面フィルムを内側に折り戻して、折り曲げ予定線でパウチ上部を一方に折り返すことにより、開封された液体注入口が閉鎖されると共に、上下の吊り下げ用と再封手段を兼ねた切り目線による穴が重なり合うので、再度、重なり合った穴をスタンドのフックに掛けてパウチを吊り下げる方法で、流動食または飲料水等を衛生的に患者等に投与することができる。
【０００５】
しかし、このような流動食用の注出口付きパウチでも、液体注入口を開口させた時、開口部が比較的狭い上、パウチのフィルムが柔軟性材料であるため、開口部が安定しにくく、液体の注入操作が厄介になる問題があり、また、開封した液体注入口を再封する際にも、吊り下げたパウチをスタンドのフックから一旦取り外して、折り曲げ予定線でパウチの上部を一方に折り返して重なり合った吊り下げ用と再封手段を兼ねた穴を、再度スタンドのフックに掛けて吊り下げる必要があり、特に病院等で多数の流動食用の注出口付きパウチを扱う場合には、再封の操作も煩わしいという問題があった。
【０００６】
前記（２）に記載した吊り下げ式パウチでは、パウチの上下にガセット部を設け、下部のガセット部の一方のひだ状部に注出口を取り付けると共に、上部のガセット部には、一方のひだ状部にパウチの吊り下げ手段を設け、もう一方のひだ状部には液体注入口を設けるため、上部の端縁部をヒートシールする上部シール部の下に開封手段を設け、更にその下にジッパー形式のファスナーを設けた構成としている。
従って、この吊り下げ式パウチに流動食を密封包装し、その流動食を患者等に投与する際には、前記（１）に記載した流動食用の注出口付きパウチと同様に、注出口を開封してその口部に供給チューブを連結し、パウチ上部に設けられた吊り下げ手段（フック穴）を、例えばスタンドのフックに掛けてパウチを吊り下げることにより、スムーズに且つ衛生的に流動食を患者等に投与することができる。
また、最初に流動食の希釈など濃度調整が必要な場合、或いは、流動食の投与後、そのパウチを利用して飲料水などを患者等に投与する場合は、パウチ上部のガセット部の一方のひだ状部に設けられた液体注入口を、その上部シール部をその下に設けられた開封手段で切り取って開封した後、ジッパー形式のファスナーの嵌合を解離させることにより開口させることができるので、その開口部から比較的容易に希釈液や飲料水などを注入することができる。希釈液や飲料水などを注入した後は、ジッパー形式のファスナーを嵌合させることにより、開口させた液体注入口を再封することができる。この間の一連の操作は、パウチをスタンドのフックに吊り下げたままで行えるのでその操作性には優れている。
【０００７】
しかし、このような吊り下げ式パウチでも、パウチの上下両方にガセット部を設け、下部のガセット部の一方のひだ状部には注出口を取り付け、上部のガセット部には、一方のひだ状部に吊り下げ手段を設け、もう一方のひだ状部には、液体注入口を設けるため上部の端縁部を上部シール部でヒートシールし、その下に開封手段を設け、更にその下に再封手段としてジッパー形式のファスナーを設けているので、機能性には優れるものの製造工程が煩雑になり生産性に劣り、特に液体注入口の再封手段としてのジッパー形式のファスナーは、コストアップの要因を増し、全体として生産性と経済性に劣る問題があった。
【発明の開示】
【発明が解決しようとする課題】
【０００８】
本発明は、前記のような問題点を解決するためになされたものであり、その課題は、主に医療機関で入院患者等に流動食を投与するために使用される注出口付きパウチであって、流動食を投与する際、そのまま注出口に供給チューブを連結して衛生的且つ簡便に患者等に投与することができると共に、流動食の希釈など調整が必要な場合、或いは、流動食の投与後、そのパウチを利用して飲料水などを投与する場合にも、パウチに形成した液体注入口から希釈液や飲料水などを容易に注入することができ、注入後、開口した液体注入口の再封も容易で、特にコストアップもなく、衛生的且つ簡便に飲料水なども投与することができるという、医療現場での使い勝手がよく、且つ衛生性、生産性、経済性にも優れた流動食用の注出口付きパウチを提供することである。
【課題を解決するための手段】
【０００９】
上記の課題は、以下の本発明により解決することができる。
即ち、請求項１に記載した発明は、流動食等を患者等に投与するために用いられる積層フィルム製の注出口付きパウチであって、該パウチの上部が、前後の壁面フィルムの上部の間に上面フィルムを内側に折り返して挿入し、その外側の端縁部をヒートシールしてなるガセット部を有する形式で形成され、胴部が、前後の壁面フィルムの左右両側の端縁部を側部シール部でヒートシールして形成され、底部が、前後の壁面フィルムの下部の端縁部を底部シール部でヒートシールして形成され、該パウチの下部の端縁部にはプラスチックの成形体よりなる注出口が取り付けられ、該パウチのガセット部の上部の端縁部は、その上端から下方に向けてシール面積を大きくした拡大シール部でヒートシールされ、また、該パウチの少なくともガセット部を含む上部の左右両側の端縁部は、シール幅を広くした広幅シール部でヒートシールされ、該拡大シール部にはパウチの吊り下げ用の穴が設けられ、該ガセット部の前後のひだ状部のうち、一方のひだ状部には、該拡大シール部の下側近傍に該拡大シール部を切り取って液体注入口を形成するための横方向の開封手段が設けられると共に、該開封手段と該ガセット部の下端の上面フィルム折り返し部との間に折り曲げ線が設けられ、更に、該折り曲げ線の両側の端部の該広幅シール部の領域内に、両方の外側から内側に向けて、前後のひだ状部を貫通する切り目線による鉤状の係止部が設けられ、該液体注入口を該開封手段で開封した後、該ひだ状部を該折り曲げ線で内側に折り込んだ時、折り込まれたひだ状部の両側上端に位置する係止部と、もう一方のひだ状部の両側の端部の該広幅シール部の領域内に設けられた係止部とが互いに係合して、開封された液体注入口を再封可能にしたことを特徴とする注出口付きパウチからなる。
【００１０】
本発明において、プラスチックの成形体よりなる注出口の形状は、特に限定はされず、例えば注出口本体とキャップが別々に成形されたツーピースタイプのものでもよく、また、注出口本体の先端部に切り取り可能な薄肉部を介して閉鎖部を設けたワンピースタイプのものでもよい。
【００１１】
前記パウチの吊り下げ用の穴は、通常、パウチに充填された流動食を患者等に投与する際、ベッドの傍らに設置されたスタンドの上方に設けられたフックなどに穴を通してパウチを吊り下げて使用されるため、フックに通してパウチを吊り下げられる穴であれば、その形状は何でもよい。只、吊り下げ強度の点では、円形や馬蹄形などのように上部に丸みを有する形状が好ましい。
このような穴は全周が打ち抜かれた打ち抜き穴でもよく、また、一部につなぎ部が設けられた切り目線による穴であってもよい。
【００１２】
また、前記液体注入口を開封するための開封手段は、（イ）印刷などによる開封指示線を設けて開封位置を明確にし、その部分を切り取るようにした手段、（ロ）パウチの周囲のヒートシール部にノッチを設けて、そのノッチを起点として引き裂いて開封できるようにした手段、（ハ）一定方向の開封を容易に行うために易引き裂き性フィルム、例えば一軸延伸フィルムをその延伸方向と開封時の引き裂き方向とが一致するように積層した積層フィルムをパウチに用いて、容易に引き裂いて開封できるようにした手段、（ニ）レーザー光照射によって形成されたハーフカット線に沿って容易に引き裂いて開封できるようにした手段、（ホ）機械的方法によって細長くて小さな傷痕群をパウチ端部に形成し、その傷痕群を起点として容易に引き裂けるようにした手段、等々の各開封手段を選択、または適宜組み合わせて適用することができる。
【００１３】
上記開封指示線は、点線、破線、実線などの線のほか、文字、記号など何れで表示してもよく、印刷などにより容易に設けることができる。
また、上記ノッチは、通常、一字形やＶ字形のノッチが多用されているが、その形状に制限はなく、引き裂き方向に向かって尖った部分を有する形状であれば何でもよい。ハーフカット線についても連続する線状のハーフカット線に限らず、ミシン目状などの断続的なハーフカット線であってもよい。このようなハーフカット線は、１本でもよいが、引き裂き方向がずれた場合を想定して、中心のハーフカット線の両側に各１本、または各２本など複数のハーフカット線を平行、または中心のハーフカット線に収斂する形状などに設けることもできる。
【００１４】
前記折り曲げ線は、印刷による折り曲げ指示線のみでもよいが、折り曲げ指示線に加えて押し罫などの易折り曲げ線を設けてもよい。
【００１５】
請求項２に記載した発明は、前記吊り下げ用の穴が、一部につなぎ部が設けられた切り目線による穴であることを特徴とする請求項１記載の注出口付きパウチからなる。
【００１６】
請求項３に記載した発明は、前記底部シール部が、注出口の取り付け部を最下部として、その両側がパウチの両側部に向かって傾斜をもって高くなるシールパターンでヒートシールされていることを特徴とする請求項１または２に記載の注出口付きパウチからなる。
【発明の効果】
【００１７】
請求項１に記載した発明によれば、流動食用の注出口付きパウチを前記のように構成しているので、以下に列挙するような作用効果が得られる。
（１）パウチ本体が積層フィルムをヒートシールして形成されているので、積層フィルムの構成の選定により、密封性のほか、ガスバリヤー性、遮光性、加圧加熱殺菌処理に耐える耐熱性などの性能を付与することができ、内容物の保存性を優れたものにすることができる。
（２）注出口付きパウチに充填された流動食を患者等に投与する際には、パウチの下部に取り付けられた注出口を開封して、その口部に供給チューブを連結し、パウチ上部の拡大シール部に設けられた吊り下げ用の穴をスタンドのフックなどに掛けてパウチを吊り下げることにより、自然に流動食が注出口から供給チューブに流出するので簡便且つ衛生的に流動食を患者等に投与することができる。
（３）また、最初に流動食の希釈などの調整が必要な場合、或いは、流動食の投与後、そのパウチを利用して飲料水などを患者等に投与する場合は、パウチ上部のガセット部の一方のひだ状部に設けられた開封手段でその上部の拡大シール部を切り取ることにより、広い幅の液体注入口を開口させることができるので、開口させた液体注入口から容易に希釈液や飲料水などを注入することができる。
上記液体注入口の開封、および希釈液や飲料水などの注入操作は、パウチを吊り下げた状態で行えるので、極めて容易に行うことができる。
（４）希釈液や飲料水などを注入した後は、開口させた液体注入口を閉じ、その下に設けられた折り曲げ線でそのひだ状部を内側に折り込んで、もう一方のひだ状部に重ねることにより、折り込んだ側のひだ状部の左右両側の切り目線による鉤状の係止部の上下が逆転して、もう一方のひだ状部の左右両側に設けられた係止部と重なり合うので、重なり合った前後の係止部同士をそれぞれ前後の位置が代わるようにクロスさせる方法で、折り込んだ側のひだ状部の左右両側の上端をもう一方のひだ状部に係止することができ、容易に且つ確実に開封した液体注入口を閉鎖することができる（図２参照）。
従って、流動食や飲料水などの投与中に落下菌や塵埃などが混入することを確実に防止でき、流動食や飲料水などを衛生的且つ容易に患者等に投与することができる。
（５）前記液体注入口の閉鎖手段は、切り目線による鉤状の係止部によるものであり、ジッパー形式のファスナーなどの別部材を用いていないので、コストアップも殆どなく、また、生産性にも優れている。
【００１８】
請求項２に記載した発明によれば、請求項１に記載した発明の注出口付きパウチの構成において、前記吊り下げ用の穴が一部につなぎ部が設けられた切り目線による穴で設けられた構成としているので、請求項１に記載した発明の作用効果に加えて、全周が打ち抜かれた打ち抜き穴の場合は、打ち抜き工程で抜きカスが発生するため、その除去装置が必要となり、設備費が上昇するほか、誤って抜きカスがパウチに混入するおそれもあるのに対して、穴の打ち抜き工程で抜きカスが発生しないため、その除去装置が不要で、打ち抜き装置を簡略化でき、製造コストを低減することができる。また、抜きカスの混入のおそれもないため、安全性、衛生性の向上と共に、品質管理が容易になり、生産性も向上させることができる。
【００１９】
請求項３に記載した発明によれば、請求項１または２に記載した発明の注出口付きパウチの構成において、前記底部シール部が、注出口の取り付け部を最下部として、その両側がパウチの両側部に向かって傾斜をもって高くなるシールパターンでヒートシールされた構成としているので、請求項１または２に記載した発明の作用効果に加えて、パウチに充填された流動食や飲料水などの内容物を患者等に投与する際、パウチを前記吊り下げ用の穴でスタンドのフックなどに吊り下げるだけで、充填された流動食や飲料水などの内容物が自然に注出口に誘導され、最後まで無駄なく投与することができる。
【発明を実施するための最良の形態】
【００２０】
本発明の注出口付きパウチは、流動食を密封した後、通常は加圧加熱殺菌処理が行われるため、パウチの積層フィルムおよびパウチの下部の端縁部に取り付ける注出口は、これに耐える耐熱性が必要である。従って、パウチの積層フィルムのシーラント層には、無延伸のポリプロピレン（ＣＰＰ）、高密度ポリエチレン（ＨＤＰＥ）、中密度ポリエチレン（ＭＤＰＥ）のほか、加圧加熱殺菌処理の条件によっては直鎖状低密度ポリエチレン（ＬＬＤＰＥ）などを使用することができる。
また、注出口は、通常、プラスチックの射出成形により作製されるが、パウチへの取り付けは、熱接着方式で行うことが安全性、生産性の点で好ましく、そのためには注出口の樹脂は、パウチの積層フィルムのシーラント層と熱接着可能な樹脂であることが必要であり、例えば、シーラント層にポリプロピレンを用いた場合は、注出口にもポリプロピレンを用い、シーラント層に高密度ポリエチレンを用いた場合は、注出口にも高密度ポリエチレンを用いるというようにシーラント層と注出口の樹脂には、同一または同系統の樹脂を組み合わせて用いることが好ましい。
【００２１】
以下、図面を参照しつつ本発明の実施の形態について説明する。
図１は、本発明の流動食用の注出口付きパウチの一実施例の構成を示す正面図である。
図２は、図１に示した注出口付きパウチのガセット部の前面側のひだ状部の拡大シール部を、その下の切り取り線で切り取って液体注入口を開封した後、その液体注入口を再封した時の形状を示す要部の斜視図である。
図３〜図７は、それぞれ本発明の流動食用の注出口付きパウチの上部のガセット部の左右両側の広幅シール部に設ける係止部の図１とは異なる第２〜第６の係止部の形状を示す要部の正面図である。
図８は、本発明の流動食用の注出口付きパウチの下部の端縁部に取り付ける注出口の一例の説明図であり、（イ）は注出口の正面図、（ロ）は注出口に供給チューブを連結する方法を説明する断面図で、（ａ）は連結前、（ｂ）は連結後の断面図である。
【００２２】
図１に示した注出口付きパウチ１００は、その上部が、前後の壁面フィルム１、１′の上部の間に上面フィルムを内側に折り返して上面フィルム折り返し部２まで挿入し、その外側の端縁部をヒートシールしてなるガセット部３を有する形式で形成され、ガセット部３の上部の端縁部は、その上端から下方に向けてシール面積を大きくした拡大シール部４でヒートシールされ、また、パウチ１００の少なくともガセット部３を含む上部の左右両側の端縁部は、シール幅を広くした広幅シール部５a 、５b でヒートシールされ、該拡大シール部４にはパウチの吊り下げ用の穴９が設けられ、ガセット部３の前後のひだ状部８a 、８b のうち、前面側のひだ状部８a には、拡大シール部４の下側近傍に該拡大シール部４を切り取って液体注入口を形成するための開封手段として、横方向の切り取り線１３とその両端にノッチ１４a 、１４b が設けられると共に、該切り取り線１３とガセット部３の下端の上面フィルム折り返し部２との間に折り曲げ線１５が設けられ、更に、折り曲げ線１５の両側の端部の広幅シール部５a 、５b の領域内に、両方の外側から内側に向けて、前後のひだ状部８a 、８b を貫通する切り目線１１a 、１１b による鉤状の係止部１０a 、１０b が設けられ、また、パウチ１００の胴部が、前後の壁面フィルム１、１′の左右両側の端縁部を側部シール部６a 、６b でヒートシールして形成され、パウチ１００の底部は、前後の壁面フィルム１、１′の下部中央の端縁部にプラスチックの成形体よりなる注出口５０（図８も参照）がその接着基部２３で熱接着されて取り付けられ、その両側が、パウチ１００の両側部に向かって傾斜をもって高くなるシールパターンの底部シール部７でヒートシールして形成されている。
【００２３】
前記パウチ１００の吊り下げ用の穴９は、図では全周が打ち抜かれた打ち抜き穴で、且つ、前後のひだ状部８a 、８b を貫通する形状で示したが、一部につなぎ部を設けた切り目線による穴で設けることもでき、むしろその方が先にも説明したように加工も容易で生産性にも優れている。また、吊り下げ用の穴９自体は、必ずしも前後両方のひだ状部に設ける必要はなく、図１に示した構成の注出口付きパウチでは、少なくとも背面側のひだ状部８b に設けられていればよいが、打ち抜き加工が容易になる点から、前後のひだ状部８a 、８b を貫通する穴として両方のひだ状部に設けられた構成としたものである。
【００２４】
また、本発明の注出口付きパウチの下部の端縁部に取り付けるプラスチックの成形体よりなる注出口は、特に限定はされないが、例えば、図８の（イ）、（ロ）に示したような構成を採ることができる。
即ち、図８は、本発明の流動食用の注出口付きパウチの下部の端縁部に取り付ける注出口の一例の説明図であり、（イ）は注出口の正面図、（ロ）は注出口に供給チューブを連結する方法を説明する断面図で、（ａ）は連結前、（ｂ）は連結後の断面図である。
図８の（イ）に示した注出口５０は、上側の注出口本体５１と下側のキャップ５３のツーピースで構成され、注出口本体５１は、中心の筒部２１の上部にパウチに熱接着して取り付けるための接着基部２３が設けられ、その下に主および副（搬送などに使用）のフランジ２４が適宜の間隔をあけて３箇所に設けられ、下部にキャップ５３を装着するためのネジ部２５が設けられ、更に筒部２１の下端の開口部には、注出口シール材５２が熱接着され封止された構成である。
前記接着基部２３の横断面は、図示していないが、外周を紡錘形に形成することにより、パウチへの熱接着を容易にすることができる。
【００２５】
注出口シール材５２には、注出口本体５１を例えばポリプロピレンの射出成形で作製した場合は、アルミニウム箔などを基材とし、これにシーラント層として無延伸ポリプロピレン（ＣＰＰ）層を積層した積層シートを使用することができる。
上記注出口シール材５２の注出口本体５１の開口部への熱接着は、例えば内容物の充填口に注出口本体５１を使用する場合は、内容物の充填後に熱接着することができる。
また、キャップ５３は、断面図は示していないが、天板に連続する側壁内周面に、注出口本体５１の先端側に設けられたネジ部２５に対応する形状のネジ部が設けられ、ネジ締めにより装着可能なキャップであればいずれも使用することができる。
【００２６】
このような注出口５０は、その接着基部２３をパウチの取り付け位置の前後の壁面フィルムの間に挿入し、加熱圧着する方法で熱接着して取り付けることができる。
このような注出口５０が取り付けられた注出口付きパウチに充填された流動食を患者等に投与する際には、注出口本体５１に装着されたキャップ５３を外し、図８の（ロ）の（ａ）、（ｂ）に示すように、患者等の体内に一端が挿入された供給チューブＴの他端に取り付けられた連結具Ｃを注出口本体５１の先端部に差し込むことにより、その突き刺し突起２６で注出口シール材５２が突き破られ、リング状突起２２で注出口本体５１に固定されると共に、突き刺し突起２６に設けられた切り欠き部２７から流動食が供給チューブＴ内に流出し、患者等に投与できるようになる。
【００２７】
このように供給チューブＴが連結された注出口付きパウチ１００を、前記吊り下げ用の穴９を利用して、スタンドなどのフックに吊り下げることにより、注出口５０がパウチの最下部に位置するようになるので、患者等に流動食を最後までスムーズに注出投与することができる。
【００２８】
図１に示したような構成を採ることにより、注出口付きパウチ１００に充填された流動食を患者等に投与する際には、注出口５０の注出口本体５１に装着されたキャップ５３を外して、図８で説明したように、注出口本体５１の先端部に、一端が患者等の体内（腸など）に挿入された供給チューブＴの他端に取り付けられた連結具Ｃを差し込むことにより、その突き刺し突起２６で注出口シール材５２が突き破られ、リング状突起２２で注出口本体５１に固定されると共に、突き刺し突起２６に設けられた切り欠き部２７から流動食が供給チューブＴ内に流出し、患者等に投与できる状態となる。
このように供給チューブＴを連結した注出口付きパウチ１００を、パウチ上部の拡大シール部４に設けた吊り下げ用の穴９を利用して、患者等の傍らに設置されたスタンドのフックなどに掛けて吊り下げることにより、流動食が供給チューブＴ内に流出し、患者等に流動食の投与を開始することができる。この時、注出口５０はパウチの最下部に位置するようになり、且つ、注出口５０の両側の底部シール部７は、注出口５０の両側からパウチの両側部に向かって傾斜をもって高くなるシールパターンでヒートシールされているので、確実に流動食が注出口５０に誘導され、最後までスムーズに流動食を患者等に注出投与することができる。
【００２９】
また、最初に流動食の希釈などの調整が必要な場合、或いは、流動食の投与後、この注出口付きパウチ１００を利用して飲料水などを患者等に投与する場合には、パウチ上部のガセット部３の前面側のひだ状部８a に開封手段として設けられた切り取り線１３とその両端に設けられたノッチ１４a 、１４b を利用して、例えば右側のノッチ１４b から切り取り線１３に沿って、その上の拡大シール部４を切り取ることにより、前面側のひだ状部８a を液体注入口として大きく開口させることができ、その開口部から希釈液や飲料水などを容易に注入することができる。
【００３０】
希釈液や飲料水などを注入した後は、前面側のひだ状部８a の開口部を閉じ、前記切り取り線１３とガセット部３の下端の上面フィルム折り返し部２との間に設けられた折り曲げ線１５で、閉じられた前面側のひだ状部８a を内側、即ち、背面側のひだ状部８b 側に折り込むことにより、折り曲げ線１５の両側端部の広幅シール部５a 、５b の領域内に設けられた切り目線１１a 、１１b による鉤状の係止部１０a 、１０b が、その上下の向きが逆転して、背面側のひだ状部８b に設けられた切り目線１１a 、１１b による鉤状の係止部１０a 、１０b とは、それぞれ上下の向きが異なる形状となって重なり合うようになる。
この時、折り曲げ線１５の両端で重なり合った係止部１０a 、１０b の切り目線１１a 、１１b で形成された係止片１２a 、１２b と係止片１２c 、１２d とは、それぞれ前面側のひだ状部８a の折り曲げ線１５の両端に形成された係止片１２a 、１２c の略上半分が折り曲げられた折り曲げ線１５よりも上方に突き出た状態となって、背面側のひだ状部８b に形成された係止片１２b 、１２d と重なり合うので、例えば、重なり合った係止片１２a 、１２b および係止片１２c 、１２d のそれぞれの上下を捻るような操作、或いは、前側の係止片１２a 、１２c をそれぞれ背面側の係止片１２b 、１２d の背面に押し込むような操作で、前後の係止片１２a 、１２b および係止片１２c 、１２d の前後の位置関係を変えることにより、図２に示すように、折り込んだ前面側のひだ状部８a の左右の上端を背面側のひだ状部８b に係止して、開封された前面側のひだ状部８a の開口部、即ち、液体注入口を閉じた状態に保持することができる。
【００３１】
即ち、図２は、図１に示した注出口付きパウチ１００のガセット部３の前面側のひだ状部８a の拡大シール部４を、その下の切り取り線１３で切り取って液体注入口を開封した後、その液体注入口を再封した時の形状を示す要部の斜視図であり、開封された前面側のひだ状部８a を折り曲げ線１５で背面側のひだ状部８b 側に折り込み、折り曲げ線１５の両端で上下が逆転して、背面側のひだ状部８b に形成された係止片１２b と重なり合う係止片１２a 、および背面側のひだ状部８b に形成された係止片１２d と重なり合う係止片１２c を、それぞれの前後の位置関係を変えて、図において左側の端部では背面側の係止片１２b が係止片１２a の前側に出て、右側の端部では背面側の係止片１２d が係止片１２c の前側に出るように組み換えることにより、折り込んだ前面側のひだ状部８a の左右の上端を背面側のひだ状部８b に係止して、開封された前面側のひだ状部８a の開口部、即ち、液体注入口を閉じた状態に保持するようにしたものである。
【００３２】
以上のような液体注入口の開封、および開口させた液体注入口からの希釈液や飲料水などの注入、そして、注入後の液体注入口の再封の一連の操作は、注出口付きパウチ１００をスタンドのフックなどに吊り下げた状態で行えるので、簡便に行うことができる。
また、液体注入口の再封も確実に行われるので、落下菌や塵埃などの混入のおそれもなく、衛生的且つスムーズに流動食や飲料水などを患者等に投与することができる。
従って、本発明の注出口付きパウチ１００は、従来の注出口付きパウチと比較して、医療現場での使い勝手が一層よく、且つ、衛生面のほか経済性にも優れている。
【００３３】
また、図３〜図７は、それぞれ本発明の流動食用の注出口付きパウチの上部のガセット部の左右両側の広幅シール部に設ける係止部の図１とは異なる係止部の形状を示す要部の正面図であり、図１に示した係止部１０a 、１０b が、折り曲げ線１５の両側の端部の広幅シール部５a 、５b の領域内に、パウチ１００の両方の外側端部から内側に向かう横方向の切り目線とそれに続いて垂直上方に向かう切り目線とその上端で外側に曲がる戻り部が設けられた形状の切り目線１１a 、１１b を、それぞれ前後のひだ状部８a 、８b を貫通するように設けた構成であるのに対して、図３に示した係止部１０a 、１０b は、図示したように、パウチの両方の外側端部から内側に向かう横方向の短い切り目線とそれに続いて斜め内側上方に向かう切り目線とその上端で外側に曲がる戻り部が設けられた形状の切り目線１１a 、１１b を、それぞれ前後のひだ状部８a 、８b を貫通するように設けて構成したものである。
【００３４】
図４に示した係止部１０a 、１０b は、図示したように、パウチの両方の外側端部から内側に向かう横方向の切り目線とそれに続いてＲをもって斜め外側上方に伸びる切り目線とその上端で外側下方に曲がる戻り部が設けられた形状の切り目線１１a 、１１b を、それぞれ前後のひだ状部８a 、８b を貫通するように設けて構成したものである。
【００３５】
図５に示した係止部１０a 、１０b は、図示したように、パウチの両方の外側端部から内側にＶ字状に傾斜して下がった後、Ｒをもって斜め上方に折り返し、それに続いて垂直上方に伸びる切り目線とその上端で外側に曲がる戻り部が設けられた形状の切り目線１１a 、１１b を、それぞれ前後のひだ状部８a 、８b を貫通するように設けて構成したものである。
【００３６】
図６に示した係止部１０a 、１０b は、図示したように、パウチの両方の外側端部から内側にＵ字状に一旦下がった後、曲線状に上方に折り返し、それに続いて垂直上方に伸びる切り目線とその上端で外側に曲がる戻り部が設けられた形状の切り目線１１a 、１１b を、それぞれ前後のひだ状部８a 、８b を貫通するように設けて構成したものである。
【００３７】
図７に示した係止部１０a 、１０b は、図示したように、パウチの両方の外側端部から内側に向かう横方向の短い切り目線とそれに続いて斜め内側下方に向かう切り目線とその下端からＲをもって垂直上方に伸びる切り目線とその上端で外側に曲がる戻り部が設けられた形状の切り目線１１a 、１１b を、それぞれ前後のひだ状部８a 、８b を貫通するように設けて構成したものである。
【００３８】
以上、図３〜図７に示した係止部１０a 、１０b は、個々には例えば、図３に示した形状の係止部１０a 、１０b では、下側から斜め内側上方に向かう切り目線部が設けられているので、図２に示したように、前後の係止片１２a と１２b 、および係止片１２c と１２d の前後の位置関係を組み換えて係止する際、容易に組み換えて係止できる特徴があり、また、図４に示した形状の係止部１０a 、１０b では、パウチの両方の外側端部から内側に向かう横方向の切り目線とそれに続いてＲをもって斜め外側上方に伸びる切り目線が設けられているので、図２に示したように、前後の係止片１２a と１２b 、および係止片１２c と１２d の前後の位置関係を組み換えて係止した際、係止部が外れにくくなる特徴があるなど、その係止性に関して多少の差はあるが、全体的には、図１に示した形状の係止部１０a 、１０b と同様に、図２に示したように、前後の係止片１２a と１２b 、および係止片１２c と１２d の前後の位置関係を組み換えて、安定した状態に係止することができるので、開封した液体注入口を確実に再封することができる。
【００３９】
また、以上のようなパウチの再封手段は、図１に示したような流動食用の注出口付きパウチに限らず、注出口を設けていない一般のパウチにも簡便でコストのかからない再封手段として好適に適用できるものであり、その場合、例えば、図１に示した注出口付きパウチ１００の構成において、注出口５０を取り除き、底部シール部７を所定幅のフラットなシールパターンでヒートシールし、上部のガセット部３も吊り下げ用の穴９を必要としない場合は、拡大シール部４を通常の所定幅の上部シール部に変更してパウチを作製する方法で、再封性を備えたパウチを作製することができる。
【００４０】
次に、本発明の注出口付きパウチに用いる積層フィルムについて説明する。
本発明の流動食用の注出口付きパウチは、流動食の密封後、通常は加圧加熱殺菌処理が施されるため、注出口と共に、パウチの積層フィルムは、これに耐える耐熱性が必要である。また、流動食の患者等への投与中、流動食の残量などを表示する目盛りなどがパウチに設けられるため、パウチの積層フィルムは透明性を有することも必要である。更に、密封された流動食の保存性を高めるためには、パウチの積層フィルムはガスバリヤー性に優れることが好ましい。
【００４１】
このような性能を備えた積層フィルムとしては、特に限定はされないが、代表的な構成例として以下のような構成の積層フィルムが挙げられる。
(1) ＰＥＴフィルム／接着剤／無機酸化物の蒸着層・ＯＮフィルム／接着剤／ＣＰＰフィルム（シーラント層）
(2) ＰＥＴフィルム・無機酸化物の蒸着層／接着剤／ＯＮフィルム／接着剤／ＣＰＰフィルム（シーラント層）
(3) ＰＥＴフィルム／接着剤／無機酸化物の蒸着層・ＯＮフィルム／接着剤／一軸延伸又は二軸延伸フィルム／接着剤／ＣＰＰフィルム（シーラント層）
(4) ＰＥＴフィルム・無機酸化物の蒸着層／接着剤／ＯＮフィルム／接着剤／一軸延伸又は二軸延伸フィルム／接着剤／ＣＰＰフィルム（シーラント層）
(5) ＰＥＴフィルム／接着剤／ＥＶＯＨフィルム／接着剤／ＯＮフィルム／接着剤／ＣＰＰフィルム（シーラント層）
(6) ＰＥＴフィルム／接着剤／ＥＶＯＨフィルム／接着剤／ＯＮフィルム／接着剤／一軸延伸又は二軸延伸フィルム／接着剤／ＣＰＰフィルム（シーラント層）
(7) ＰＥＴフィルム・有機ガスバリヤー性コート層／接着剤／ＯＮフィルム／接着剤／ＣＰＰフィルム（シーラント層）
(8) ＰＥＴフィルム／接着剤／有機ガスバリヤー性コート層・ＯＮフィルム／接着剤／ＣＰＰフィルム（シーラント層）
などが挙げられるが、これらに限定されるものではなく様々な組み合わせの積層フィルムを使用することができる。
【００４２】
上記構成において、ＰＥＴフィルムは２軸延伸ポリエチレンテレフタレートフィルム、ＯＮフィルムは２軸延伸ナイロンフィルム、ＣＰＰフィルムは無延伸ポリプロピレンフィルム、ＥＶＯＨフィルムはエチレン−酢酸ビニル共重合体ケン化物フィルムを指すものである。
また、無機酸化物の蒸着層は、具体的には、シリカ、アルミナ、酸化亜鉛、酸化マグネシウムなどの無機酸化物の蒸着層を、ＰＥＴフィルムやＯＮフィルムなどの耐熱性基材フィルムの上に２００〜１０００Åの厚みに蒸着して使用することができる。
有機ガスバリヤー性コート層は、具体的には、ポリ塩化ビニリデンのコート層（厚み２〜８μｍ程度）のほか、ポリアクリル酸架橋樹脂などのコート層（厚み１〜５μｍ程度）を好適に使用することができる。特にポリアクリル酸架橋樹脂のコート層は、ガスバリヤー性と共に耐熱性にも優れており、ＰＥＴフィルムなどの耐熱性基材フィルムにコートして用いることにより、加圧加熱殺菌処理が施される本発明の注出口付きパウチには好適に使用できる。
【００４３】
前記ＰＥＴフィルムやＯＮフィルムは、基材フィルムとして作用し、パウチに機械的強度のほか耐熱性を付与し、最外層に用いたＰＥＴフィルムは印刷適性も付与するものである。ＯＮフィルムは、多少吸湿性を有するため本発明の注出口付きパウチでは中間層に用いることが好ましいが、突き刺し強度や屈曲強度に優れるため、液体用パウチの強度を向上できる点で特に有用である。
【００４４】
中間層の無機酸化物の蒸着層、ＥＶＯＨフィルム、有機ガスバリヤー性コート層は、いずれも透明性を有するガスバリヤー層として積層したものである。
中間層に一軸延伸フィルムを積層する場合は、一軸延伸ポリプロピレンフィルム、一軸延伸高密度ポリエチレンフィルム、一軸延伸ポリエチレンテレフタレートフィルムなどを使用することができ、その延伸方向がパウチの液体注入口を開封するための切り取り線の方向と一致するように積層することにより、開封手段の一つとして、液体注入口を開封する際、切り取り線に沿って容易に引き裂いて開封できるようになる。
また、中間層に二軸延伸フィルムを積層する場合は、二軸延伸ポリプロピレンフィルム、二軸延伸高密度ポリエチレンフィルムなどを使用することができ、それにより積層フィルムの厚みを増し、剛性、機械的強度を高めるほか、水蒸気バリヤー性も向上させることができる。
【００４５】
最内層のＣＰＰフィルムは、ヒートシール用のシーラント層として作用すると共に、耐熱性、低臭性に優れるので、本発明のような内容物の密封後に、パウチごと加圧加熱殺菌処理される流動食用のパウチには特に好ましく用いられる。
最内層のシーラント層には、ＣＰＰフィルムのみを例示したが、高密度ポリエチレンフィルム（ＨＤＰＥフィルム）も同様に使用することができ、加圧加熱殺菌処理の条件によっては直鎖状低密度ポリエチレンフィルム（ＬＬＤＰＥフィルム）なども使用することができる。
尚、前記各フィルムの間の接着剤は、通常、これらのフィルムの積層をドライラミネーション法で貼り合わせて行うため、二液硬化型ポリウレタン系接着剤などの公知のドライラミネート用接着剤を使用することができる。
以下に、実施例を挙げて本発明を更に詳しく説明する。
【実施例１】
【００４６】
本発明の流動食用の注出口付きパウチを、図１に示した構成で作製することとし、以下の材料を用いて、以下の寸法で作製した。但し、注出口付きパウチの製袋と流動食の充填シールはオフラインで行い、製袋にはスタンディングパウチ用の製袋機をアレンジした装置を用いた。
パウチの壁面フィルムには、（外側）ＰＥＴフィルム（厚み１６μｍ）・シリカ蒸着層（厚み４００Å）・印刷層／接着剤／ＯＮフィルム（厚み１５μｍ）／接着剤／ＣＰＰフィルム（厚み９０μｍ）の構成の積層フィルムを用いた。
パウチの上面フィルムには、（外側）ＰＥＴフィルム（厚み１２μｍ）・シリカ蒸着層（厚み４００Å）／接着剤／ＯＮフィルム（厚み１５μｍ）／接着剤／ＣＰＰフィルム（厚み７０μｍ）の構成の積層フィルムを用いた。
注出口５０は、図８に示した構成のツーピースタイプでポリプロピレンを射出成形して作製したものを用いた。
注出口シール材５２には、厚み３５μｍのアルミニウム箔に厚み３０μｍのＣＰＰフィルムを貼り合わせた積層シートを用いた。
【００４７】
上記の壁面フィルムと上面フィルムおよび注出口５０を用いて、パウチ１００の本体部の外形寸法が、幅１６０ｍｍ、長さ３１０ｍｍで、上部のガセット部３の上面フィルムの折り込み長さが８０ｍｍとなるように製袋すると共に、底部の中央部に注出口５０をその接着基部２３で熱接着して取り付け、その両側の底部シール部７は、接着基部２３の両側からパウチ１００の両側部に向かって傾斜をもって１５ｍｍ高くなるシールパターンでヒートシールした。
ガセット部３の上部の拡大シール部４の長さは、その上端から下方に向けて３０ｍｍの長さとし、ガセット部３の左右両側部の広幅シール部５a 、５b の幅は、それぞれ１８ｍｍの幅としてヒートシールした。そして、吊り下げ用の穴９は、拡大シール部４の略中心部に直径１３ｍｍの円形の穴をガセット部３の前後のひだ状部８a 、８b を貫通するように打ち抜いて形成した。
また、ガセット部３の前面側のひだ状部８a の拡大シール部４の下の６ｍｍ離れた位置に、横方向に印刷による切り取り線１３を設け、その両方の端部にノッチ１４a 、１４b を設けた。更に、切り取り線１３の下の２０ｍｍ離れた位置に、横方向に折り曲げ線１５を設けると共に、その両方の端部の広幅シール部５a 、５b に、それぞれ外側から内側に向けて図示した形状（Ｌ字状）の切り目線１１a 、１１b による係止部１０a 、１０b を前後のひだ状部８a 、８b を貫通するように設けて実施例１の注出口付きパウチを作製した。
【００４８】
尚、前記折り曲げ線１５とその下の上面フィルム折り返し部２との間隔は２４ｍｍであり、切り取り線１３と折り曲げ線１５との間隔２０ｍｍよりも大きく設定している。これは切り取り線１３で拡大シール部４を切り取って液体注入口を開封した後、再封のために折り曲げ線１５でその上部を内側に折り込んだ時、その折り込み部が上面フィルム折り返し部２を超えて折りたたみの邪魔にならないようにしたものである。
また、前記係止部１０a 、１０b の大きさは、それぞれ横方向の切り目線の長さが１０ｍｍで、垂直方向の切り目線の長さが１１ｍｍとなるように設けた。
また、流動食の充填口には、注出口５０を使用することとし、注出口シール材５２は流動食の充填後に熱接着するようにした。
【００４９】
以上のように作製した注出口付きパウチ１００に、注出口本体５１の開口部から流動食を４００ｍｌ充填し、脱気して注出口本体５１の開口部に注出口シール材５２を熱接着して密封した後、蒸気式レトルト殺菌釜を用いて、１３５℃、３０分間の条件で加圧加熱殺菌処理を施して、流動食を密封した注出口付きパウチ１００とした。
上記流動食を密封した注出口付きパウチ１００を用いて、患者等に流動食を投与する模擬試験を以下のように行った。
【００５０】
即ち、パウチ１００の注出口本体５１（図８参照）の先端部に、一端に連結具Ｃが取り付けられた供給チューブＴの連結具Ｃを差し込んで連結し、注出口シール材５２を突き破って注出口本体５１を開口させ、パウチ１００の吊り下げ用の穴９をスタンドのフックにかけて、パウチ１００を吊り下げたところ、流動食は注出口本体５１から徐々に供給チューブＴ内に流出し、最後までスムーズに注出することができた。
【００５１】
流動食の注出を終了した後、ガセット部３の前面側のひだ状部８a の上部の拡大シール部４を、その下の一方のノッチ１４b から切り取り線１３に沿って切り取って液体注入口を開封し、開口させた液体注入口からぬるま湯を約２００ｍｌ注入した。
次いで、開口させた液体注入口を閉じて、閉じられた液体注入口をその下の折り曲げ線１５で内側（背面側のひだ状部側）に折り込んで、折り曲げ線１５の両側上端に、上下が逆転して略半分が突き出した係止片１２a 、１２c を、それぞれこれと重なる背面側のひだ状部８b に設けられた係止片１２b 、１２d の背面に押し込んで、係止片１２a と係止片１２b 、および係止片１２c と係止片１２d の前後の位置関係を変えることにより、折り込んだ前面側のひだ状部が背面側のひだ状部に係止され、開封した液体注入口を確実に閉鎖した状態に保持することができた。
従って、開封した液体注入口から落下菌や塵埃などが混入するのを防止することができ、流動食と同様に、ぬるま湯を衛生的且つスムーズに患者等に注出投与することができるものである。
また、前記液体注入口の開封、および開口させた液体注入口からのぬるま湯の注入、そして、液体注入口の再封の操作は、最初に流動食の希釈などの調整が必要な場合でも、注入液を例えば希釈液に替えるだけで同様に行うことができる。
また、前記実施例１とは別に、係止部１０a 、１０b の形状のみを、それぞれ図３〜図７に示した形状の係止部１０a 、１０b に変更して注出口付きパウチを作製し、同様の試験を行ったが、いずれも実施例１と同様、良好に再封することができた。
【産業上の利用可能性】
【００５２】
本発明の流動食用の注出口付きパウチは、流動食を密封包装し安全に保存できると共に、流動食を患者等に投与する際に、医療現場での使い勝手がよく、且つ、衛生性および経済性にも優れるように構成したものであり、流動食用の注出口付きパウチとして特に好適に使用できるほか、その機能を生かして、一般の液状物用のディスペンサー容器等としても好適に利用できるものであり、充填される内容物および用途に関しては、特に制限はない。
【図面の簡単な説明】
【００５３】
【図１】本発明の流動食用の注出口付きパウチの一実施例の構成を示す正面図である。
【図２】図１に示した注出口付きパウチのガセット部の前面側のひだ状部の拡大シール部を、その下の切り取り線で切り取って液体注入口を開封した後、その液体注入口を再封した時の形状を示す要部の斜視図である。
【図３】本発明の流動食用の注出口付きパウチの上部のガセット部の左右両側の広幅シール部に設ける係止部の図１とは異なる第２の係止部の形状を示す要部の正面図である。
【図４】本発明の流動食用の注出口付きパウチの上部のガセット部の左右両側の広幅シール部に設ける係止部の第３の係止部の形状を示す要部の正面図である。
【図５】本発明の流動食用の注出口付きパウチの上部のガセット部の左右両側の広幅シール部に設ける係止部の第４の係止部の形状を示す要部の正面図である。
【図６】本発明の流動食用の注出口付きパウチの上部のガセット部の左右両側の広幅シール部に設ける係止部の第５の係止部の形状を示す要部の正面図である。
【図７】本発明の流動食用の注出口付きパウチの上部のガセット部の左右両側の広幅シール部に設ける係止部の第６の係止部の形状を示す要部の正面図である。
【図８】本発明の流動食用の注出口付きパウチの下部の端縁部に取り付ける注出口の一例の説明図であり、（イ）は注出口の正面図、（ロ）は注出口に供給チューブを連結する方法を説明する断面図で、（ａ）は連結前、（ｂ）は連結後の断面図である。
【符号の説明】
【００５４】
１、１′  壁面フィルム（積層フィルム）
２  上面フィルム折り返し部
３  ガセット部
４  拡大シール部
５a 、５b   広幅シール部
６a 、６b   側部シール部
７  底部シール部
８a   前面側のひだ状部
８b   背面側のひだ状部
９  吊り下げ用の穴
１０a 、１０b   係止部
１１a 、１１b   切り目線
１２a 、１２b 、１２c 、１２d   係止片
１３  切り取り線
１４a 、１４b   ノッチ
１５  折り曲げ線
２１  筒部
２２  リング状突起
２３  接着基部
２４  フランジ
２５  ネジ部
２６  突き刺し突起
２７  切り欠き部
５０  注出口
５１  注出口本体
５２  注出口シール材
５３  キャップ
１００  注出口付きパウチ
【図１】
2006199333.tif 000003
【図２】
2006199333.tif 000004
【図３】
2006199333.tif 000005
【図４】
2006199333.tif 000006
【図５】
2006199333.tif 000007
【図６】
2006199333.tif 000008
【図７】
2006199333.tif 000009
【図８】
2006199333.tif 000010